(57)【特許請求の範囲】
【請求項１】
次の下層（１）、中間層（２）、上層（３）からなる多層カップインソールであって、
下層（１）は、非通気性の反発性素材で上面は足型凹面とし底面をフラットに形成し、前記上面において足指が位置する肉薄で硬質な前半部では中央溝（１３）から側周囲側へ概略放射状に中途まで延びた先細の溝（１３）を開口幅を広めに形成し、踵部が位置する肉厚の後半部では中央部に前方出口を細くした凹室（１４）を形成しこれに連通する幅の狭い概略放射状に中途まで延びた先細の溝（１３）を形成したものであって、前記下層（１）の後半部の凹室（１４）と後述の中間層（２）後半部の中央部の膨出凸部（２２）とで空気室（２３）を形成したものであり、
中間層（２）は不織布や連続気泡を形成した通気性素材又は小孔（２１）を散設した非通気性素材であって、前記下層（１）の上面にフィットする形状で、踵部が位置する後半部の中央部に復元性のある膨出凸部（２２）を形成したものであり、
上層（３）は、布材や不織布や連続気泡を形成した通気性素材又は小孔（３１）を散設した非通気性素材で前記中間層（２）の上面にフィットする略相似立体形であり、
前記下層（１）の後半部の凹室（１４）と中間層（２）後半部の中央部の膨出凸部（２２）とで形成した空気室（２３）に反発弾性がある連続気泡発泡素材片（１６）を装填したことを特徴とする多層カップインソール。
【請求項２】
次の下層（１）、中間層（２）、上層（３）からなる多層カップインソールであって、
下層（１）は、非通気性の反発性素材で上面は足型凹面とし底面をフラットに形成し、前記上面において足指が位置する肉薄で硬質な前半部では中央溝（１３）から側周囲側へ概略放射状に中途まで延びた先細の溝（１３）を開口幅を広めに形成し、踵部が位置する肉厚の後半部では中央部に凹室（１４）を形成しこれに連通する幅の狭い概略放射状に中途まで延びた先細の溝（１３）を形成したものであって、前記下層（１）の後半部の前方出口を細くした凹室（１４）と後述の中間層（２）後半部の中央部の膨出凸部（２２）とで空気室（２３）を形成したものであり、
中間層（２）は不織布や連続気泡を形成した通気性素材又は小孔（２１）を散設した非通気性素材であって、前記下層（１）の上面にフィットする形状で、踵部が位置する後半部の中央部に復元性のある膨出凸部（２２）を形成したものであり、
上層（３）は、布材や不織布や連続気泡を形成した通気性素材又は小孔（３１）を散設した非通気性素材で前記中間層（２）の上面にフィットする略相似立体形であり、
前記下層（１）の後半部の凹室（１４）と中間層（２）後半部の中央部の膨出凸部（２２）とで形成した空気室（２３）に反発弾性がある連続気泡発泡素材片（１６）を装填したものであり、
前記下層（１）の後半部の中央部の凹室（１４）に、前方側を低くした多数の弾性突起（１５）を間隙をもって立設したことを特徴とする多層カップインソール。
【請求項３】
次の下層（１）、中間層（２）、上層（３）からなる多層カップインソールであって、
下層（１）は、非通気性の反発性素材で上面は足型凹面とし底面をフラットに形成し、前記上面において足指が位置する肉薄で硬質な前半部では中央溝（１３）から側周囲側へ概略放射状に中途まで延びた先細の溝（１３）を開口幅を広めに形成し、踵部が位置する肉厚の後半部では中央部に凹室（１４）を形成しこれに連通する幅の狭い概略放射状に中途まで延びた先細の溝（１３）を形成したものであって、前記下層（１）の後半部の前方出口を細くした凹室（１４）と後述の中間層（２）後半部の中央部の膨出凸部（２２）とで空気室（２３）を形成したものであり、
中間層（２）は不織布や連続気泡を形成した通気性素材又は小孔（２１）を散設した非通気性素材であって、前記下層（１）の上面にフィットする形状で、踵部が位置する後半部の中央部に復元性のある膨出凸部（２２）を形成したものであり、
上層（３）は、布材や不織布や連続気泡を形成した通気性素材又は小孔（３１）を散設した非通気性素材で前記中間層（２）の上面にフィットする略相似立体形であり、
前記下層（１）の後半部の凹室（１４）と中間層（２）後半部の中央部の膨出凸部（２２）とで形成した空気室（２３）に反発弾性がある連続気泡発泡素材片（１６）を装填したものであり、
前記中間層（２）の後半部の膨出凸部（２２）の裏面に、下向きの垂下突部（２４）を設けたことを特徴とする多層カップインソール。
【請求項４】
次の下層（１）、中間層（２）、上層（３）からなる多層カップインソールであって、
下層（１）は、非通気性の反発性素材で上面は足型凹面とし底面をフラットに形成し、前記上面において足指が位置する肉薄で硬質な前半部では中央溝（１３）から側周囲側へ概略放射状に中途まで延びた先細の溝（１３）を開口幅を広めに形成し、踵部が位置する肉厚の後半部では中央部に凹室（１４）を形成しこれに連通する幅の狭い概略放射状に中途まで延びた先細の溝（１３）を形成したものであって、前記下層（１）の後半部の前方出口を細くした凹室（１４）と後述の中間層（２）後半部の中央部の膨出凸部（２２）とで空気室（２３）を形成したものであり、
中間層（２）は不織布や連続気泡を形成した通気性素材又は小孔（２１）を散設した非通気性素材であって、前記下層（１）の上面にフィットする形状で、踵部が位置する後半部の中央部に復元性のある膨出凸部（２２）を形成したものであり、
上層（３）は、布材や不織布や連続気泡を形成した通気性素材又は小孔（３１）を散設した非通気性素材で前記中間層（２）の上面にフィットする略相似立体形であり、
前記下層（１）の後半部の凹室（１４）と中間層（２）後半部の中央部の膨出凸部（２２）とで形成した空気室（２３）に反発弾性がある連続気泡発泡素材片（１６）を装填したものであり、
前記下層（１）の後半部の中央部の凹室（１４）に、前方側を低くした多数の弾性突起（１５）を前記連続気泡発砲素材片（１６）に前記弾性突起（１５）に相応する孔を形成し、間隙をもって立設したものであり、
前記中間層（２）の後半部の膨出凸部（２２）の裏面に、下向きの垂下突部（２４）を設けたことを特徴とする多層カップインソール。
【発明の詳細な説明】
【０００１】
【発明の属する技術分野】
本発明は、靴に装入して使用する中敷材であるカップインソールに関する。
【０００２】
【従来の技術】
従来の靴の中敷は、単一素材で足型に切断した平面形状のものと、足裏の形状に合わせて足型凹面にしたカップインソールがある。
前記平面形状のものは廉価に作成できまた、カップインソールは足裏を安定性良く支持できる利点がある。
【０００３】
また、多層構成にして空間部を形成しクッション性及び通気性を向上させようとするものには、実開昭５４ー３７３４０号「履物底」が公開されている。
【０００４】
さらに、本件出願人の出願に係る実公平４ー１８４０３号では、３層以上重ねてなる多層カップインソールにおいて、非通気性で反発性素材の合成樹脂製である下層の足型凹面にした上面に、中央から側周囲へ連通して開口する溝を概略放射状で幅を広狭適宜に形成し、その上に不織布等の通気性素材で底面をフラットに形成した中間層を積層接着したものを開示している。
【０００５】
なおこの従来考案では、前記溝を、足指が位置する前半部ではこの前半部が加圧成型により肉薄で硬化しているため溝幅を広めに形成して屈曲性（柔軟性）と通気性を良好にし、踵部が位置する後半部ではこの後半部が肉厚であり保形性が低下しがちなため溝幅を狭く形成して保形性を損ねないようにしている。
【０００６】
【発明が解決しようとする課題】
しかしながら、従来の中敷材は、次のような問題点がある。
▲１▼平面状中敷材は、踏圧に適したクッション性や疲労軽減性に問題がある。
▲２▼カップインソールは、フィット感があるが凹曲した部分に保熱や湿気が生じる問題がある。
【０００７】
また、前記実開昭５４−３７３４０号「履物底」の構成では、上部部材がメッシュ状であるためポンピングに必要な平坦な面が形成されず、従って空間部の空気は上部部材への加重時のポンピングによる流れを形成できずにスペーサ部材間や周縁空間部に滞留しやすいものであった。
【０００８】
また、実公平４ー１８４０３号は、下層の放射状の溝内部に空気の流れを形成することにより通気性を向上させ、フィット感を良好にしながら湿気や熱を排し、むれない履き心地の良い中敷材を提供するものであるが、歩行時や荷重時に生じるポンピングに復元力が弱いために空気の流れが少し弱い点があった。
【０００９】
溝を空気通路として概略放射状に設けたことで、加重時における足裏からの加重個所の移動に伴ない空気は、側周囲の適切な方向へ溝を通って流れ、この空気を靴内壁面に流すように作用するが、さらには、足の裏の窪み部分へ集中的に流れるように上方に向けて流すことも要請されている。
【００１０】
【課題を解決するための手段】
本発明は、次の下層（１）、中間層（２）、上層（３）からなる多層カップインソールである。
多層カップインソールは、下層（１）の後半部の中央部凹室（１４）と、中間層（２）の後半部の中央部に設けた膨出凸部（２２）とを合わせて空気室（２３）を形成したことが一つの特徴である。
【００１１】
下層（１）は、非通気性の反発性素材にて上面（１１）は足型凹面とし底面（１２）をフラットに形成し、前記上面（１１）において足指が位置する肉薄で硬質な前半部では中央溝から側周囲側へ概略放射状に中途まで延びた先細の溝（１３）を開口幅を広めに形成し、踵部が位置する肉厚の後半部では中央部に凹室（１４）を形成しこれに連通する幅の狭い概略放射状に中途まで延びた溝（１３）を形成している。
溝（１３）は先端側が先細であり、空気放出に勢いがある。
【００１２】
後半部中央部に形成する凹室（１４）の形状は、いわゆる「フイゴ」型や「ナス」型で前方出口を細く形成している。
【００１３】
凹室（１４）を設けた点と先細の溝（１３）が中断している点は、密接な関連がある。ポンピングによる空気の放出力があるので、側周には吐き出さずに、空気の放出方向を溝（１３）を中断させて足裏に当たるように上向きに案内して放出できる構成に改良できたのである。
後半部では、保形性やクッション性を維持するためには凹室（１４）を設けるがそこから連通する溝（１３）を狭く短くすることで保形性を維持したものである。
【００１４】
中間層（２）は不織布や連続気泡を形成した通気性素材又は小孔（２１）を散設した非通気性素材であって、前記下層（１）の上面にフィットする形状で、踵部が位置する後半部の中央部に膨出凸部（２２）を形成している。
膨出凸部（２２）は、復元性があって、裏面に空間を有し、少なくともこの部分は非通気に形成される。
なお中間層（２）の後半部の膨出凸部（２２）の裏面に、下向きの垂下突部（２４）を設ける構成も提案する。
【００１５】
上層（３）は、布材や不織布や連続気泡を形成した通気性素材又は小孔（３１）を散設した皮革材などの非通気性素材で、前記中間層（２）の上面にフィットする略相似立体形である。
【００１６】
空気室（２３）のポンピングの復元力を強化するために前記下層（１）の後半部の凹室（１４）へ、通気性があり、反発弾性がある連続気泡発泡素材片（１６）を装填している。
連続気泡発泡素材片（１６）は、高反発発泡ウレタンフォームやスポンジなどである。
連続気泡発泡素材片（１６）の形状は、水平な底面を広くした側面小山状で、安定して装填できる。
空気室（２３）は、非通気性の素材で上下面を囲まれているので、空気の放出方向を制御して、空気が散乱しないようにスポンジの所定表面に何らかの加工をする必要がない。
なお、連続気泡発泡素材片（１６）を非通気性で形状復元性素材の袋体に入れ、先端にホースを装填して、放出方向を制御することもできる。
【００１７】
さらに異なる構成として前記下層（１）の後半部の中央部に凹室（１４）に、ポンピングの復元力と保形性を保証するための前方側を低くした上向きの多数の弾性突起（１５）を立設したものを提案する。
弾性突起（１５）は、根本部が太いテーパーに形成した平面視で翼断面の流線形や楕円柱状であり、先端は平坦にして、略下層（１）の上面と水平な高さ又は少し突出する高さである。
弾性突起（１５）は、多数本並列に立設され、相互の間隙が、空気流路を形成する。弾性突起（１５）の前記形状で少量空気を、上方へかつ前方へ送り出す。
空気を放射方向に分散する場合にも適する。
なお連続気泡発泡素材片（１６）に弾性突起（１５）に相応する孔を形成し、これを弾性突起（１５）を備えた凹室（１４）に嵌合して、両者を併用することもできる。
【００１８】
本発明では、歩行時のポンピングにより、中央部に凹室（１４）には、大きな容量の空気が吸入され、荷重により溝（１３）内部に空気の流れを大きく作ることができる。
【００１９】
さらに溝（１３）を空気通路として概略放射状に設けかつ中断させたことで、歩行時における足裏からの荷重個所の移動に伴ない空気は、溝（１３）を通って流れ、足裏に当たる上方へ排出されるようになり、内部空気をきわめて効果的に利用できる。
【００２０】
また前記溝（１３）を、足指が位置する前半部ではこの前半部が加圧成型により肉薄で硬化しているため溝幅を広めに形成して屈曲性（柔軟性）と通気性を良好にし、踵部が位置する後半部ではこの後半部が肉厚であり保形性が低下しがちなため溝幅を狭く形成して保形性を損ねないようにする技術も併用している。
溝（１３）の深さと形状は用途により種々の態様が設計できる。
【００２１】
【発明の実施の形態】
図１は、本発明に係る多層カップインソールの一実施例を示す分解斜視図であある。図２は、同じく側面断面図である。
多層カップインソールは、異なる素材を多重層に重ね合わせたもので、下層（１）と中間層（２）と上層（３）の３層からなる。
【００２２】
下層（１）は、２〜７mmの比較的肉厚な非通気性の反発性素材で形成され、底面はフラットで靴内底面にフィットする形状であり、その上面は足裏の形状に合わせて足型凹面にしている。
下層（１）は、ＰＥ発泡体、ＥＶＡ発泡体、ゴム発泡体等である。
カップインソールの用途により、反発性（クッション性）を調合調整して作成される。
素材の発泡倍率は、溝（１３）が潰れず、クッション性が維持できる範囲となる。
下層（１）は、あらかじめ個別に製作しておき、中間層（２）と接着される。
【００２３】
下層（１）は、非通気性の反発性素材にて上面（１１）は足型凹面とし底面（１２）をフラットに形成し、前記上面（１１）において足指が位置する肉薄で硬質な前半部では中央溝（１３）を形成しこれから側周囲側へ概略放射状に中途まで延びた先細の溝（１３）を開口幅を広めに形成し、踵部が位置する肉厚の後半部では中央部に凹室（１４）を形成しこれに連通する幅の狭い概略放射状に中途まで延びた先細の溝（１３）を形成している。
溝（１３）は、中途で終り外周辺には達しない長さであり、足裏に直接に空気が当たるようにしている。
しかも中途で先細であることは、保形性を長期に維持できる効果がある。
中央部の凹室（１４）は、空気を入れる十分な空間を形成している。
【００２４】
溝（１３）を下層（１）の上面中央から放射状に形成したことにより、荷重時の足裏からの荷重個所の移動に伴ない溝（１３）内部の空気が適切な方向へ分散してスムーズに流れるようにしている。
溝（１３）の深さや形状は、反発性素材のクッション性や用途等の相違により種々設計の変更やパターン化が可能である。
溝（１３）は、足指が位置する前半部では開口幅を広めに或いは数を多く形成して柔軟性（屈曲性）と通気性を良好にし、踵部が位置する後半部では幅を狭く或いは数を少なく形成して保形性を損ねないようにしている。
このような溝（１３）のパターンは、合成樹脂発泡シート材やゴムスポンジ板等を熱プレス成型する際の問題点をも解決し、素材の選択巾を広げることになる。
つまり、下層（１）の製造において加圧成型する時は、型の前・後半部の形状の差異による圧縮率の差が下層（１）の肉厚の相違を形成し硬軟の分布を決定することになり、下層（１）の前半部は高圧圧縮で肉薄で硬化し、下層（１）の後半部は低圧圧縮で肉厚で保形性が低い、という問題点があるが、溝（１３）を中途までとし先細にすることを基本に維持すると、前・後半部において幅、数、深さを適宜形成することにより、柔軟性や屈曲性を保って、全体の保形性を維持できる。
【００２５】
中間層（２）は、目の粗い不織布を上面を凹曲面に底面をフラットにプレス成型したものや、連続気泡を形成した通気性素材、又は小孔（３１）を散設した非通気性素材であって、前記下層（１）の上面にフィットする形状で、踵部が位置する後半部の中央部に復元性の膨出凸部（２２）を形成したものである。
中間層（２）は下層（１）の溝（１３）を閉塞することなく下層（１）の上面に積層接着される。
下層（１）の中央部の凹室（１４）と中間層（２）の中央部に膨出凸部（２２）とが形成する空間は、十分な量の空気室（２３）となる。
中間層（２）は、底面をフラットに形成しているので、荷重時のポンピングにより空気室（２３）の空気や溝（１３）内部の空気を漏らすことなく流し出すのである。
なお、図５のように中間層（２）の膨出凸部（２２）の裏面に、下層（１）の中央部の凹室（１４）に入り込む下向きの垂下突部（２４）を設ける構成も提案する。
この構成では、踵のポンピングで、垂下突部（２４）が凹室（１４）に入り込み空気室（２３）を圧縮することになる。
垂下突部（２４）は後方部が高く、前方に傾斜している形状がポンピングに好ましい。
【００２６】
中間層（２）の上に設ける上層（３）は、装飾或いは吸湿のために例えば、布や皮革で形成したものであり、用途によって所定の二次加工（吸湿剤や発水剤を噴霧加工）をして使い分けられる。
上層（３）は、布材や不織布や連続気泡を形成した通気性素材でもよいが、図では小孔（３１）を散設した皮革材などの非通気性素材で形成したものを示している。
小孔（３１）の配置は、足指の間や足裏の窪みなどの、比較的汗をかきやすいところに放出する配置である。
形状は、前記中間層（２）の上面にフィットする略相似立体形であり、後半部に膨出部（３２）を形成している。
上層（３）は、抗菌・防臭・防カビの処理をした製品や、サッパリ感がある吸湿性素材などが採用できる。
そのほか、遠赤外線の発生するセラミック粉末の混入繊維を用いたもの、抗菌のために銅粉末を混入した繊維を用いたもの、抗菌のために笹の葉エキスに浸漬したもの、防水処理をしたものなど適宜素材と組み合わせることができる。
【００２７】
前記下層（１）の後半部の凹室（１４）へは、通気性があり、反発弾性がある硬めのスポンジである連続気泡発泡素材片（１６）を装填している。
連続気泡発泡素材片（１６）は、空気を保有し、非通気性の素材で上下面を囲まれているので、押圧で出口からのみ空気を放出する。
なお空気が散乱しないようにスポンジの所定表面に塗料を塗布したりすることもできる。
【００２８】
図３・図４は、異なる構成として前記下層（１）の後半部の中央部に凹室（１４）に、ポンピングの復元力と保形性を保証するための上向きの多数の弾性突起（１５）を立設したものである。
弾性突起（１５）は、先端は平坦にして、略下層（１）の上面から水平か、又は少し突出し中間層（２）の膨出凸部（２２）に接する高さである。
弾性突起（１５）は、踵のあらゆる方向からの押圧に対して収縮し開放により復元する構成であることが必要であり、後方側を高くし、前方側を少し低くして、押し出された空気が前方に進行するようにしている。
弾性突起（１５）は、根本部が太いテーパーに形成した平面視で翼断面の流線形や楕円柱状である。
弾性突起（１５）は、多数本並列に立設され、相互の間隙が、空気流路を形成する。弾性突起（１５）の前記形状で少量空気を、上方へかつ前方へ効率よく送り出す。
弾性突起（１５）を設けると空気を放射方向に分散する場合に適し、連続気泡発泡素材片（１６）に弾性突起（１５）に相応する孔を形成し、これを弾性突起（１５）を備えた凹室（１４）に嵌合して併用することもできる。
【００２９】
これらの構成で、ポンピングが安定し、足裏の適切な位置に直接に適量の空気がまんべんなく当たり、かつ全体として保形性を長期に維持できる多層カップインソールが提供できる。
【００３０】
【実施例】
５ｍｍ厚のＰＥ発泡体で、溝（１３）と凹部（１４）を形成した下層（１）を作成し、前記凹部（１４）にスポンジ（１６）を装填し、下層（１）の上面に接着剤を塗布して、所定位置に小孔（２１）を穿設した不織布中間層（２）を接合した。
下層（１）と中間層（２）とは、後半部に空気室（２３）を形成し、これに連通した溝（１３）を放射状に内部に形成している。
上層（３）として抗菌・防臭・防カビの二次処理をした通気性・吸湿性布材で作成し、スポットに接着剤を塗布して一体化し、３層のカップインソールを作成した。
【００３１】
【発明の効果】
本発明に係る多層カップインソールは、前記の構成であり、次のような特有な技術的効果がある。
【００３２】
請求項１・請求項２の発明は、反発性素材である下層の内部に空気室を形成し、かつ下層の上面に溝を形成して、この溝を空気通路として足裏に直接に上向きに空気を吹き出すことができるものである。
溝を形成した下層の上面に、底面をフラットに形成した通気性素材を重ねたことで、ロスなく空気の動きを作ることができる。
特に空気室の構成は、スポンジが入っていて反発復元性があり、連続ポンピングが可能でフイゴのような形状でもあり、強い空気の流れを作ることができる。
しかも空気室を形成しても保形性を損ねないために、これに連通する放射状の溝はインソールの部位により幅に広狭をつけてあり、かつ溝は外周迄は到達しない先細で、全体の強度の要請にも答えている。
溝を概略放射状に形成し中間層に小孔を設けて足裏の所定の位置に集中的に通気するので、湿気の排出や温熱の排出などムレ防止や換気に大きな効果がある。
【００３３】
請求項３の発明は、空気室に多数の特異形状の弾性突起を形成し、ポンピングの作用をより保証している。
【００３４】
請求項４の発明は、中間層に下向きの垂下突部を形成し、下層の凹部に侵入して空気の放出力を高めている。
以上のように、本発明に係る多層カップインソールは、中敷材に要請される柔軟性、屈曲性、反発性、保形性を維持しながら、足裏をしっかり包み、十分な通気性・換気性を達成したものできわめて優れている。
【図面の簡単な説明】
【図１】本発明に係る多層カップインソールの一実施例を示す分解斜視図。
【図２】上記と同じ実施例で、結合した状態の側面断面図。
【図３】本発明に係る多層カップインソールの異なる実施例を示す分解斜視図。
【図４】上記と同じ実施例で、結合した状態の側面断面図。
【図５】同じく異なる実施例を示す側面断面図。
【符号の説明】
（１）    下層
（１１）  上面
（１２）  底面
（１３）  溝
（１４）  凹部
（１５）  弾性突起
（１６）  連続気泡発泡素材片（スポンジ）
（２）    中間層
（２１）  小孔
（２２）  膨出凸部
（２３）  空気室
（２４）  垂下突部
（３）    上層
（３１）  小孔
（３２）  膨出部
【図１】
0003912823.tif 000002
【図２】
0003912823.tif 000003
【図３】
0003912823.tif 000004
【図４】
0003912823.tif 000005
【図５】
0003912823.tif 000006